【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
表示面と、少なくとも１つの平坦面を画成するエッジ部と、前記少なくとも１つの平坦面に接地された、電源配給のための第１の接点及び信号配給のための第２の接点と、エッジ面に形成された機械的インターロック部と、を含む第１のモジュラーブロックを備える、モジュラーグラフィックパネル型のアセンブリ。
【請求項２】
第２のモジュラーブロックをさらに備え、
前記第１のモジュラーブロックの接続部が前記第２のモジュラーブロックの対応する接続部とインターロックし、
前記第１のモジュラーブロックの前記第１の接点が前記第２のモジュラーブロックの前記第１の接点に接続される、
請求項１に記載のアセンブリ。
【請求項３】
前記第２の接点に接続され、前記第２の接点のそれぞれがモジュラーブロックの姿勢に依存して入力接点又は出力接点のいずれかとして使用されることを可能にするトライステートバッファをさらに備える、請求項１に記載のアセンブリ。
【請求項４】
前記第１のモジュラーブロック及び前記第２のモジュラーブロックを取り囲むフレームアセンブリをさらに備え、前記フレームアセンブリの少なくとも一部が前記第１の接点及び前記第２の接点に接続される、請求項２に記載のアセンブリ。
【請求項５】
実質的に四角形の形状に配置された４個の前記モジュラーブロックを含む、請求項４に記載のアセンブリ。
【請求項６】
前記フレームアセンブリが、ユニバーサルシリアルバス信号を受信し前記ユニバーサルシリアルバス信号を前記第２の接点へ通信する、ユニバーサルシリアルバス回路を含む、請求項４に記載のアセンブリ。
【請求項７】
前記モジュラーブロックのそれぞれが複数の発光ダイオードを含む、請求項１に記載のアセンブリ。
【請求項８】
前記接続部が実質的に台形状の形状を有し、前記モジュラーブロックの面と実質的に垂直な方向の動きによって他の接続部と接続されるが、前記モジュラーブロックの表面と実質的に平行な方向の動きによって接続され又は外される、請求項２に記載のアセンブリ。
【請求項９】
前記接続部が、一方の辺がもう一方より長い第１及び第２の平行な辺と、前記第１及び第２の平行な辺の間に延在する第１及び第２の傾斜した辺とを有する、実質的に台形状の形状を有する、請求項２に記載のアセンブリ。
【請求項１０】
制御可能な表示部を有する上部面と機械的インターロック部を有するエッジ部とを有する対称性のある筐体を備え、
前記エッジ部の一方の各機械的インターロックが異なる１台の筐体のエッジ部とインターロックするサイズと形状を有し、
前記筐体が電気コネクション及び信号コネクションを前記表示部へ供給するコネクタ部を含む、モジュラーディスプレイユニット。
【請求項１１】
前記コネクタ部が前記エッジ部に形成される、請求項１０に記載のユニット。
【請求項１２】
前記コネクタ部が前記エッジ部の各面に形成される、請求項１１に記載のユニット。
【請求項１３】
前記モジュラーユニットが実質的に正方形の外周を形成する実質的に直線状の部分を有する外周で形成され、
前記コネクタ部が前記直線状の部分のそれぞれに形成される、
請求項１１に記載のユニット。
【請求項１４】
前記機械的インターロック部が他の傾斜したエッジと接続する傾斜したエッジで形成される、請求項１０に記載のユニット。
【請求項１５】
前記機械的インターロック部が同じ向きである上部面を有するユニットだけに接続するため特定の形状で形成される、請求項１０に記載のユニット。
【請求項１６】
前記コネクタに接続されたトライステートバッファをさらに備える、請求項１０に記載のユニット。
【請求項１７】
モジュラーユニットのそれぞれが、対称性のある形状であり、他のモジュラーユニットと相互接続された平坦なエッジを有し、複数のモジュラーユニットがアレイに配置され、前記モジュラーユニットのそれぞれが別のモジュラーユニットに接続する電気コネクションを有する、複数のモジュラーユニットと、
モジュラーユニットのマトリックスの周囲を取り囲み、前記モジュラーユニットのマトリックスの少なくとも１台のモジュラーユニットに接続するフレーム部と、
を備える、ディスプレイアセンブリ。
【請求項１８】
前記モジュラーユニットのそれぞれが、前記モジュラーユニットの周囲を画成する４個のエッジ部を形成する、実質的に正方形状の形状を有する、請求項１７に記載のアセンブリ。
【請求項１９】
前記電気コネクションが前記４個のエッジ部に形成され、それによって、前記複数のモジュラーユニット間及び前記フレーム部との接続を可能にする、請求項１８に記載のアセンブリ。
【請求項２０】
前記フレーム部が内部に電気回路を含む、請求項１７に記載のアセンブリ。
【請求項２１】
前記電気回路内に、前記モジュラーユニットに表示されるべき情報を提供するメモリをさらに備える、請求項１７に記載のアセンブリ。
【請求項２２】
複数のモジュラーディスプレイパネルを所望の形状に組み立てるステップと、
前記ディスプレイパネルのそれぞれの位置を決定し、前記位置を定義するマップを形成するステップと、
装置のどの部品がどの部分を表示すべきであるかを決定するため前記マップを使用して、全体的な表示を前記所望の形状の前記装置へ送信するステップと、
を備える方法。
【請求項２３】
モジュラーディスプレイパネルの第１の部分を前記モジュラーディスプレイパネルの第２の部分に接続することにより前記モジュラーディスプレイパネルを組み立てるステップと、
両方のディスプレイパネルの発光面が同じ方向へ向くまで前記パネルが接続されることを機械的に妨げるステップと、
を備える方法。
【手続補正２】
【補正対象書類名】明細書
【補正対象項目名】００５３
【補正方法】変更
【補正の内容】
【００５３】
[0072]図３に示されるようなフレームセグメントは３個の接続された部品を含む。印刷回路板３０５は、マイクロコントローラを含むエレクトロニクスを含む。印刷回路板は内部のアライメントホール３０８と共に形成される。フレームアセンブリの上部エンクロージャ３１０は、３１５のようなアライメントスタッドを含む。アライメントホール３０８のそれぞれは、アライメントスタッド３１５の外面が所定の位置にあるホール３０８の内面を保持するように、アライメントスタッド３１５のうちの対応する１個に隣接する。下部ベースプレート３２０は印刷回路板３０５を覆い、スタッド３３０、３３２にねじで取り付けられる。
【手続補正３】
【補正対象書類名】明細書
【補正対象項目名】００５５
【補正方法】変更
【補正の内容】
【００５５】
[0074]図１１Ａは、信号スタイルピン１１００、１１０２、１１０４、１１０６と、電源ピン１１０８、１１１０とを有する、電子フレームアタッチメントであるＵＳＢコントローラフレームアタッチメントを示す。このフレームアタッチメントは信号と電源の両方をアレイに供給する。電源アタッチメントは図１１Ｂに示され、電源ピン１１１２、１１１４及び信号制御ピン１１００、１１０２、１１０４，１１０６を有する電子パワーフィルタリングコンポーネントが載せられた印刷回路板だけを有する。図１１Ｃに示された装飾フレームアタッチメントは、同様に、電子コンポーネントのない印刷回路板、電源ピン及び信号ピンを有する。図１１Ｃに示された装飾フレームアタッチメントは接続ピンをもたない。
【手続補正４】
【補正対象書類名】明細書
【補正対象項目名】００７９
【補正方法】変更
【補正の内容】
【００７９】
【図１】本発明の電子グラフィックパネルの基本モジュラーブロックの平面図を示す。
【図２】ユニットのサイズを拡大するためにいくらかの個数のモジュラーブロックがどのように相互接続されるか、及び、ユニットがキー付きの方向だけでどのように相互接続されるかを示す。
【図３】フレーム部の分解図を示す。
【図４】モジュラーブロックを構成する層の分解図である。
【図５】モジュラー装置の下部の詳細図を示す。
【図６Ａ】使用される信号接点及び電源接点に関する情報を示す。
【図６Ｂ】使用される信号接点及び電源接点に関する情報を示す。
【図７】モジュール通信部のブロック図を示す。
【図８】モジュールの特定及びプログラムのフローチャートを示す。
【図９】トライステートバッファを含む各モジュラー装置への通信フロー及び各モジュラー装置からの通信フローを示す。
【図１０】信号がどのようにして異なる装置間で適切に及び不適切に送信されるかを示す。
【図１１】信号がどのようにして異なる装置間で適切に及び不適切に送信されるかを示す。
【図１１Ａ】フレームアタッチメントの一例を示す図である。
【図１１Ｂ】図１１Ａとは異なる種類のフレームアタッチメントの一例を示す図である。
【図１１Ｃ】図１１Ａと図１１Ｂとは異なる種類のフレームアタッチメントの一例を示す図である。
【図１２】ＵＳＢフレームコントローラ及び典型的なホスト装置のブロック図を示す。
【図１３】どのようにしてフレームアタッチメントがモジュールに取り付けられるかを示す。
【図１４】典型的な完全アプリケーションを示す。
【図１５】様々な種類のフレームのための可能な位置を表すユーザインターフェイスを示す。
【図１６】電力フレームアタッチメントの回路を示す。
【図１７Ａ】様々なフレームアタッチメントが様々な場所にどのように取り付けられるかを示す。
【図１７Ｂ】クォーターパネル画素フォーマットを説明する。
【図１８Ａ】表示装置がパズルとして使用される代替的な実施形態を示す。
【図１８Ｂ】表示装置がパズルとして使用される代替的な実施形態を示す。
【図１８Ｃ】表示装置がパズルとして使用される代替的な実施形態を示す。
【図１８Ｄ】表示装置がパズルとして使用される代替的な実施形態を示す。
【手続補正５】
【補正対象書類名】図面
【補正対象項目名】図１
【補正方法】変更
【補正の内容】
【図１】
2007522525.tif 000001
【手続補正６】
【補正対象書類名】図面
【補正対象項目名】図２
【補正方法】変更
【補正の内容】
【図２】
2007522525.tif 000002
【手続補正７】
【補正対象書類名】図面
【補正対象項目名】図３
【補正方法】変更
【補正の内容】
【図３】
2007522525.tif 000003
【手続補正８】
【補正対象書類名】図面
【補正対象項目名】図４
【補正方法】変更
【補正の内容】
【図４】
2007522525.tif 000004
【手続補正９】
【補正対象書類名】図面
【補正対象項目名】図５
【補正方法】変更
【補正の内容】
【図５】
2007522525.tif 000005
【手続補正１０】
【補正対象書類名】図面
【補正対象項目名】図６Ａ
【補正方法】変更
【補正の内容】
【図６Ａ】
2007522525.tif 000006
【手続補正１１】
【補正対象書類名】図面
【補正対象項目名】図６Ｂ
【補正方法】変更
【補正の内容】
【図６Ｂ】
2007522525.tif 000007
【手続補正１２】
【補正対象書類名】図面
【補正対象項目名】図７
【補正方法】変更
【補正の内容】
【図７】
2007522525.tif 000008
【手続補正１３】
【補正対象書類名】図面
【補正対象項目名】図８
【補正方法】変更
【補正の内容】
【図８】
2007522525.tif 000009
【手続補正１４】
【補正対象書類名】図面
【補正対象項目名】図９
【補正方法】変更
【補正の内容】
【図９】
2007522525.tif 000010
【手続補正１５】
【補正対象書類名】図面
【補正対象項目名】図１０
【補正方法】変更
【補正の内容】
【図１０】
2007522525.tif 000011
【手続補正１６】
【補正対象書類名】図面
【補正対象項目名】図１１
【補正方法】変更
【補正の内容】
【図１１】
2007522525.tif 000012
【手続補正１７】
【補正対象書類名】図面
【補正対象項目名】図１１ａ−１１ｃ
【補正方法】削除
【補正の内容】
【手続補正１８】
【補正対象書類名】図面
【補正対象項目名】図１１Ａ
【補正方法】追加
【補正の内容】
【図１１Ａ】
2007522525.tif 000013
【手続補正１９】
【補正対象書類名】図面
【補正対象項目名】図１１Ｂ
【補正方法】追加
【補正の内容】
【図１１Ｂ】
2007522525.tif 000014
【手続補正２０】
【補正対象書類名】図面
【補正対象項目名】図１１Ｃ
【補正方法】追加
【補正の内容】
【図１１Ｃ】
2007522525.tif 000015
【手続補正２１】
【補正対象書類名】図面
【補正対象項目名】図１２
【補正方法】変更
【補正の内容】
【図１２】
2007522525.tif 000016
【手続補正２２】
【補正対象書類名】図面
【補正対象項目名】図１３
【補正方法】変更
【補正の内容】
【図１３】
2007522525.tif 000017
【手続補正２３】
【補正対象書類名】図面
【補正対象項目名】図１４
【補正方法】変更
【補正の内容】
【図１４】
2007522525.tif 000018
【手続補正２４】
【補正対象書類名】図面
【補正対象項目名】図１５
【補正方法】変更
【補正の内容】
【図１５】
2007522525.tif 000019
【手続補正２５】
【補正対象書類名】図面
【補正対象項目名】図１６
【補正方法】変更
【補正の内容】
【図１６】
2007522525.tif 000020
【手続補正２６】
【補正対象書類名】図面
【補正対象項目名】図１７Ａ
【補正方法】変更
【補正の内容】
【図１７Ａ】
2007522525.tif 000021
【手続補正２７】
【補正対象書類名】図面
【補正対象項目名】図１７Ｂ
【補正方法】変更
【補正の内容】
【図１７Ｂ】
2007522525.tif 000022
【手続補正２８】
【補正対象書類名】図面
【補正対象項目名】図１８Ａ
【補正方法】変更
【補正の内容】
【図１８Ａ】
2007522525.tif 000023
【手続補正２９】
【補正対象書類名】図面
【補正対象項目名】図１８Ｂ
【補正方法】変更
【補正の内容】
【図１８Ｂ】
2007522525.tif 000024
【手続補正３０】
【補正対象書類名】図面
【補正対象項目名】図１８Ｃ
【補正方法】変更
【補正の内容】
【図１８Ｃ】
2007522525.tif 000025
【手続補正３１】
【補正対象書類名】図面
【補正対象項目名】図１８Ｄ
【補正方法】変更
【補正の内容】
【図１８Ｄ】
2007522525.tif 000026